(57)【要約】【課題】撮影画像を記録する着脱自在な記録メディアが同じであれば、特別な操作を行うことなしに、同じ内容の撮影条件を設定できるようにする。【解決手段】ＣＰＵ１は、電源遮断時に装置本体に記録メディア３が装着されている場合に現在設定されている撮影条件を最終撮影時の撮影条件として記録メディア３から読み出したメディア識別情報と共にラストメモリＬＭに記憶保存しておき、電源投入時に記録メディア３から読み出したメディア識別情報とラストメモリＬＭに保存されているメディア識別情報とを比較し、その結果、両者が一致していれば、当該メディア識別情報に対応付けてラストメモリＬＭに保存されている撮影条件を読み出して現在の撮影条件として設定する。【選択図】図１
2011193539.tif 000002
【特許請求の範囲】
【請求項１】
任意に設定されている現在の撮影条件に基づいて撮影制御を行う撮影装置であって、
撮影画像を記録する着脱自在な記録メディアが装置本体に装着されているか否かを判別する判別手段と、
この判別手段によって記録メディアの装着有りが判別されている場合に、現在設定されている撮影条件と当該記録メディアから読み出し取得したメディア識別情報とを対応付けて記憶保存する保存手段と、
今回の電源投入後から最初の撮影を開始するまでの間において前記判別手段によって記録メディアの装着有りが判別されている場合に、当該記録メディアから読み出したメディア識別情報と前記保存されているメディア識別情報とを比較し、両者が一致している場合に前記保存されている撮影条件を現在の撮影条件として設定する設定手段と、
を具備したことを特徴とする撮影装置。
【請求項２】
前記保存手段は、電源遮断時に現在設定されている撮影条件を最終撮影時の撮影条件としてメディア識別情報に対応付けて記憶保存し、
前記設定手段は、電源投入時に前記記憶保存されている最終撮影時の撮影条件を読み出して現在の撮影条件として設定する、
ようにしたことを特徴とする請求項１記載の撮影装置。
【請求項３】
現在設定されている複数の撮影条件の中から前記保存対象となる撮影条件を任意に選択指定する指定手段を設け、
前記保存手段は、現在設定されている複数の撮影条件の中から前記指定手段によって指定された撮影条件を選択して記憶保存する、
ようにしたことを特徴とする請求項１記載の撮影装置。
【請求項４】
任意に設定されている現在の撮影条件に基づいて撮影制御を行う撮影装置であって、
撮影画像を記録する着脱自在な記録メディアが装置本体に装着されているか否かを判別する判別手段と、
この判別手段によって記録メディアの装着有りが判別されている場合に、現在設定されている撮影条件を当該記録メディアに書き込むメディア書き込み手段と、
今回の電源投入後から最初の撮影を開始するまでの間において前記判別手段によって記録メディアの装着有りが判別されている場合に、当該記録メディアから撮影条件を読み出して現在の撮影条件として設定する設定手段と、
を具備したことを特徴とする撮影装置。
【請求項５】
前記メディア書き込み手段は、電源遮断時に現在設定されている撮影条件を最終撮影時の撮影条件として記録メディアに書き込み、
前記設定手段は、電源投入時に記録メディアから最終撮影時の撮影条件を読み出して現在の撮影条件として設定する、
ようにしたことを特徴とする請求項４記載の撮影装置。
【請求項６】
前記記録メディアを介して取得して撮影条件を設定するか否かを問い合わせるための案内情報を出力する案内情報出力手段を設け、
この設定可否の問い合わせに対して設定可の肯定応答を受けた場合に前記設定手段は、記録メディアから撮影条件を読み出して現在の撮影条件として設定する、
ようにしたことを特徴とする請求項４記載の撮影装置。
【請求項７】
任意に設定されている現在の撮影条件に基づいて撮影制御を行う撮影装置であって、
撮影画像を記録する着脱自在な記録メディアが装置本体に装着されているか否かを判別する判別手段と、
この判別手段によって記録メディアの装着有りが判別されている場合に、撮影画像にその撮影条件を示す撮影パラメータを付加して当該記録メディアに書き込むメディア書き込み手段と、
今回の電源投入後から最初の撮影を開始するまでの間において前記判別手段によって記録メディアの装着有りが判別されている場合に、撮影画像に付加されている撮影条件を示す撮影パラメータを当該記録メディアから読み出して現在の撮影条件として設定する設定手段と、
を具備したことを特徴とする撮影装置。
【請求項８】
前記設定手段は、最後に撮影した撮影画像に付加されている撮影条件を示す撮影パラメータを当該記録メディアから読み出して現在の撮影条件として設定する、
ようにしたことを特徴とする請求項７記載の撮影装置。
【請求項９】
前記設定手段は、最後に再生表示した撮影画像に付加されている撮影条件を示す撮影パラメータを当該記録メディアから読み出して現在の撮影条件として設定する、
ようにしたことを特徴とする請求項７記載の撮影装置。
【請求項１０】
コンピュータに対して、
撮影画像を記録する着脱自在な記録メディアが装置本体に装着されているか否かを判別する機能と、
記録メディアの装着有りが判別されている場合に、現在設定されている撮影条件と当該記録メディアから読み出し取得したメディア識別情報とを対応付けて記憶保存する機能と、
今回の電源投入後から最初の撮影を開始するまでの間において記録メディアの装着有りが判別されている場合に、当該記録メディアから読み出したメディア識別情報と前記保存されているメディア識別情報とを比較し、両者が一致している場合に前記保存されている撮影条件を現在の撮影条件として設定する機能と、
を実現させるためのプログラム。
【請求項１１】
コンピュータに対して、
撮影画像を記録する着脱自在な記録メディアが装置本体に装着されているか否かを判別する機能と、
記録メディアの装着有りが判別されている場合に、現在設定されている撮影条件を当該記録メディアに書き込む機能と、
今回の電源投入後から最初の撮影を開始するまでの間において記録メディアの装着有りが判別されている場合に、当該記録メディアから撮影条件を読み出して現在の撮影条件として設定する機能と、
を実現させるためのプログラム。
【請求項１２】
コンピュータに対して、
撮影画像を記録する着脱自在な記録メディアが装置本体に装着されているか否かを判別する機能と、
記録メディアの装着有りが判別されている場合に、撮影画像にその撮影条件を示す撮影パラメータを付加して当該記録メディアに書き込む機能と、
今回の電源投入後から最初の撮影を開始するまでの間において記録メディアの装着有りが判別されている場合に、撮影画像に付加されている撮影条件を示す撮影パラメータを当該記録メディアから読み出して現在の撮影条件として設定する機能と、
を実現させるためのプログラム。
【発明の詳細な説明】
【技術分野】
【０００１】
この発明は、任意に設定されている現在の撮影条件に基づいて撮影制御を行う撮影装置及びプログラムに関する。
【背景技術】
【０００２】
一般に、デジタルカメラ（撮影装置）においては、「シャッター優先」、「絞り値」、「シャッター速度」、「フラッシュ」、「画像サイズ」、「画質」、「露出補正」、「ホワイトバランス」、「連写」など、様々な撮影条件を任意に設定して撮影を行うようにしている。
このような撮影条件の設定という面倒な作業を改善するために、従来では、撮影条件が記録されている着脱自在な２つのメモリカードに対応して２つのシャッターボタンを設け、一方のシャッターボタンが操作された際に、これに対応付けられているメモリカードから読み出された撮影条件にて撮影を行い、他方、のシャッターボタンが操作された際に、これに対応付けられているメモリカードから読み出された撮影条件にて撮影を行うようにした技術（デジタルカメラ）が知られている（特許文献１参照）。
【先行技術文献】
【特許文献】
【０００３】
【特許文献１】特開２００１−１６０９１５号公報
【発明の概要】
【発明が解決しようとする課題】
【０００４】
この特許文献１のデジタルカメラにあっては、実質的に２台のカメラを準備したと同等となるが、メモリカードとシャッターボタンとの対応関係を間違えると、所望する撮影条件で撮影できなくなり、また、２つのメモリカードを装着可能な構造としたり、２つのシャッターボタンを設ける構造とするなど、カメラ自体の構造を大きく変える必要があった。
ところで、撮影者、撮影環境、被写体などが変わった場合には、それに応じて撮影条件を変更するようにしているが、撮影者が同じであれば、撮影環境、被写体などが大きく変わらない限り、いつもの撮影条件で撮影するのが一般的である。逆に、同じような撮影環境、被写体であっても、撮影者が異なれば、自己の好みに合った撮影条件に変更するのが一般的である。
【０００５】
この発明の課題は、撮影画像を記録する着脱自在な記録メディアが同じであれば、特別な操作を行うことなしに、同じ内容の撮影条件を設定できるようにすることである。
【課題を解決するための手段】
【０００６】
請求項１記載の発明は、任意に設定されている現在の撮影条件に基づいて撮影制御を行う撮影装置であって、撮影画像を記録する着脱自在な記録メディアが装置本体に装着されているか否かを判別する判別手段と、この判別手段によって記録メディアの装着有りが判別されている場合に、現在設定されている撮影条件と当該記録メディアから読み出し取得したメディア識別情報とを対応付けて記憶保存する保存手段と、今回の電源投入後から最初の撮影を開始するまでの間において前記判別手段によって記録メディアの装着有りが判別されている場合に、当該記録メディアから読み出したメディア識別情報と前記保存されているメディア識別情報とを比較し、両者が一致している場合に前記保存されている撮影条件を現在の撮影条件として設定する設定手段とを具備したことを特徴とする。
更に、コンピュータに対して、上述した請求項１記載の発明に示した主要機能を実現させるためのプログラムを提供する（請求項１０記載の発明）。
【０００７】
なお、上述した請求項１記載の発明は次ぎのようなものであってもよい。
前記保存手段は、電源遮断時に現在設定されている撮影条件を最終撮影時の撮影条件としてメディア識別情報に対応付けて記憶保存し、前記設定手段は、電源投入時に前記記憶保存されている最終撮影時の撮影条件を読み出して現在の撮影条件として設定する（請求項２記載の発明）。
【０００８】
なお、撮影条件を保存するタイミングは、電源遮断時に限らず、例えば、撮影モード（ＲＥＣモード）から再生モード（ＰＬＡＹモード）に切り替えられたとき／記録メディアが装着されたときに保存するようにしてもよい。また、画像を撮影するごとに、あるいは画像を記録メディアに保存するごとに、また、撮影条件が変更されるごとに、撮影条件を記録メディアに更新書き込み（上書き更新）するようにしてもよい。一方、最終撮影時の撮影条件を現在の撮影条件として設定するタイミングは、電源投入時にに限らず、例えば、再生モード（ＰＬＡＹモード）から撮影モード（ＲＥＣモード）に切り替えられたとき／記録メディアが装着されたときに設定するようにしてもよい。
【０００９】
現在設定されている複数の撮影条件の中から前記保存対象となる撮影条件を任意に選択指定する指定手段を設け、前記保存手段は、現在設定されている複数の撮影条件の中から前記指定手段によって指定された撮影条件を選択して記憶保存する（請求項３記載の発明）。
【００１０】
請求項４記載の発明は、任意に設定されている現在の撮影条件に基づいて撮影制御を行う撮影装置であって、撮影画像を記録する着脱自在な記録メディアが装置本体に装着されているか否かを判別する判別手段と、この判別手段によって記録メディアの装着有りが判別されている場合に、現在設定されている撮影条件を当該記録メディアに書き込むメディア書き込み手段と、今回の電源投入後から最初の撮影を開始するまでの間において前記判別手段によって記録メディアの装着有りが判別されている場合に、当該記録メディアから撮影条件を読み出して現在の撮影条件として設定する設定手段とを具備したことを特徴とする。
更に、コンピュータに対して、上述した請求項４記載の発明に示した主要機能を実現させるためのプログラムを提供する（請求項１１記載の発明）。
【００１１】
なお、上述した請求項４記載の発明は次ぎのようなものであってもよい。
前記メディア書き込み手段は、電源遮断時に現在設定されている撮影条件を最終撮影時の撮影条件として記録メディアに書き込み、前記設定手段は、電源投入時に記録メディアから最終撮影時の撮影条件を読み出して現在の撮影条件として設定する（請求項５記載の発明）。
【００１２】
なお、上述した場合と同様に、撮影条件を記録メディアに書き込むタイミングは、電源遮断時に限らず、例えば、撮影モード（ＲＥＣモード）から再生モード（ＰＬＡＹモード）に切り替えられたとき、あるいは記録メディアが装着されたときであってもよい。また、画像を撮影するごとに、あるいは画像を記録メディアに保存するごとに、また、撮影条件が変更されるごとに、撮影条件を記録メディアに更新書き込み（上書き更新）するようにしてもよい。一方、最終撮影時の撮影条件を現在の撮影条件として設定するタイミングは、電源投入時にに限らず、例えば、再生モード（ＰＬＡＹモード）から撮影モード（ＲＥＣモード）に切り替えられたとき／記録メディアが装着されたときに設定するようにしてもよい。
【００１３】
前記記録メディアを介して取得した撮影条件を設定するか否かを問い合わせるための案内情報を出力する案内情報出力手段を設け、この設定可否の問い合わせに対して設定可の肯定応答を受けた場合に前記設定手段は、記録メディアから撮影条件を読み出して現在の撮影条件として設定する（請求項６記載の発明）。
【００１４】
請求項７記載の発明は、任意に設定されている現在の撮影条件に基づいて撮影制御を行う撮影装置であって、撮影画像を記録する着脱自在な記録メディアが装置本体に装着されているか否かを判別する判別手段と、この判別手段によって記録メディアの装着有りが判別されている場合に、撮影画像にその撮影条件を示す撮影パラメータを付加して当該記録メディアに書き込むメディア書き込み手段と、今回の電源投入後から最初の撮影を開始するまでの間において前記判別手段によって記録メディアの装着有りが判別されている場合に、撮影画像に付加されている撮影条件を示す撮影パラメータを当該記録メディアから読み出して現在の撮影条件として設定する設定手段とを具備したことを特徴とする。
更に、コンピュータに対して、上述した請求項７記載の発明に示した主要機能を実現させるためのプログラムを提供する（請求項１２記載の発明）。
【００１５】
前記設定手段は、最後に撮影した撮影画像に付加されている撮影条件を示す撮影パラメータを当該記録メディアから読み出して現在の撮影条件として設定する（請求項８記載の発明）。
【００１６】
前記設定手段は、最後に再生表示した撮影画像に付加されている撮影条件を示す撮影パラメータを当該記録メディアから読み出して現在の撮影条件として設定する（請求項９記載の発明）。
【発明の効果】
【００１７】
請求項１記載の発明によれば、装置本体に記録メディアが装着されている場合に現在設定されている撮影条件と記録メディアから読み出したメディア識別情報とを対応付けて記憶保存しておき、今回の電源投入後から最初の撮影を開始するまでの間において、記録メディアから読み出したメディア識別情報と保存されているメディア識別情報とを比較し、その結果、両者が一致していれば、保存されている撮影条件を現在の撮影条件として設定するようにしたから、従来のように複数のメモリカードを装着可能としたり、複数のシャッターボタンを設けなくてもよく、記録メディアが同じであれば、特別な操作を行うことなしに、同じ内容の撮影条件を確実に設定することができる。
【００１８】
例えば、撮影者ごとに専用の記録メディアを使用する場合には、前回の撮影者が設定した撮影条件を変更する作業を行うことなしに、自分の好みに合った撮影条件で撮影することができ、また、同一撮影者であっても、人物撮影用、風景撮影用などのように撮影対象あるいは撮影目的に対応して複数の記録メディアを用意しておけば、記録メディアを交換するだけで、つまり、記録メディアを使い分けるだけで、撮影対象あるいは撮影目的に適した撮影条件での撮影が可能となるなど、実用効果の高いものとなる。
【００１９】
請求項２記載の発明によれば、上述した請求項１記載の発明と同様の効果を有するほか、電源遮断時に現在設定されている撮影条件を最終撮影時の撮影条件としてメディア識別情報に対応付けて記憶保存し、電源投入時に前記記憶保存されている最終撮影時の撮影条件を読み出して現在の撮影条件として設定するようにしたから、前回の電源オン期間での最終撮影時における撮影条件を保存しておき、この撮影条件を次回の電源オン時に自動復帰させることでができる。言い換えれば、所謂、サスペンド・レジューム方式あるいはラストメモリ機能のように電源切断時の情報保存と電源投入時の情報復帰とを実現することができ、途中で中断した撮影を前回に引き続いて行うような場合には、記録メディアを装着するだけでよい。
【００２０】
請求項３記載の発明によれば、上述した請求項  記載の発明と同様の効果を有するほか、現在設定されている複数の撮影条件の中から保存対象となる撮影条件を任意に選択指定すると、この指定された撮影条件のみを保存するようにしたから、現在設定されている複数の撮影条件の中から保存対象と非保存対象に分けることができ、ユーザが所望する撮影条件のみを保存することが可能となる。例えば、特殊撮影を行うために様々な撮影条件を一時的に設定したとしても、その中から必要最小限の撮影条件のみが保存されるので、次回の撮影時には必要最小限の撮影条件に設定することができる。
【００２１】
請求項４記載の発明によれば、記録メディアが装着されている場合に、現在設定されている撮影条件を当該記録メディアに書き込んでおき、今回の電源投入後から最初の撮影を開始するまでの間において、記録メディアから撮影条件を読み出して現在の撮影条件として設定するようにしたから、従来のように複数のメモリカードを装着可能としたり、複数のシャッターボタンを設けなくてもよく、記録メディアが同じであれば、特別な操作を行うことなしに、同じ内容の撮影条件を確実に設定することができると共に、本体側で撮影条件などを保持しておく必要もなく、内部メモリの節約となる。更に記録メディアを使い分けるだけで、撮影者ごとに自分の好みに合った撮影条件で撮影することができ、撮影対象あるいは撮影目的に適した撮影条件での撮影が可能となる。
【００２２】
請求項５記載の発明によれば、上述した請求項４記載の発明と同様の効果を有するほか、電源遮断時に現在設定されている撮影条件を最終撮影時の撮影条件として記録メディアに書き込み、前記設定手段は、電源投入時に記録メディアから最終撮影時の撮影条件を読み出して現在の撮影条件として設定するようにしたから、上述した請求項２記載の発明のように、前回の電源オン期間での最終撮影時における撮影条件を保存しておき、この撮影条件を次回の電源オン時に自動復帰させることでができるので、撮影を途中で中断した場合に、記録メディアを装着するだけで中断前に最後に撮影したときの撮影条件を再開後も引き続き設定することができる。
【００２３】
請求項６記載の発明によれば、上述した請求項４記載の発明と同様の効果を有するほか、記録メディアを介して取得した撮影条件を設定するか否かを問い合わせるための案内情報を出力している状態において、この設定可否の問い合わせに対して設定可の肯定応答を受けた場合には、記録メディアから撮影条件を読み出して現在の撮影条件として設定するようにしたから、ユーザ（撮影者）は、記録メディア内の撮影条件を設定するか本体側にデフォルト値として用意されている標準的な撮影条件を設定するかを任意に選択することができる。なお、記録メディア３から取得した撮影条件をリスト表示すると共に、このリスト画面の中から任意の撮影条件が選択指定された際に、この指定された撮影条件を取得し、現在の撮影条件として設定するようにしてもよい。
【００２４】
請求項７記載の発明によれば、記録メディアの装着有りが判別されている場合に、撮影画像にその撮影条件を示す撮影パラメータを付加して当該記録メディアに書き込んでおき、今回の電源投入後から最初の撮影を開始するまでの間において記録メディアの装着有りが判別されている場合に、撮影画像に付加されている撮影条件を示す撮影パラメータを当該記録メディアから読み出して現在の撮影条件として設定するようにしたから、画像ファイルのヘッダー部分に付加されている「Ｅｘｉｆ(Exchangeable Image file format)」を利用することができ、撮影条件をファイル化して記録メディアに書き込む必要がなくなる。
【００２５】
請求項８記載の発明によれば、上述した請求項７記載の発明と同様の効果を有するほか、最後に撮影した撮影画像に付加されている撮影条件を示す撮影パラメータを当該記録メディアから読み出して現在の撮影条件として設定するようにしたから、例えば、撮影を途中で中断した場合には、記録メディアを装着するだけで中断前に最後に撮影したときの撮影条件を再開後も引き続き設定することができる。
【００２６】
請求項９記載の発明によれば、上述した請求項７記載の発明と同様の効果を有するほか、最後に再生表示した撮影画像に付加されている撮影条件を示す撮影パラメータを当該記録メディアから読み出して現在の撮影条件として設定するようにしたから、記録メディアを装着するだけで最後に再生表示によって確認した画像と同様の撮影条件を引き続き設定することができる。
【図面の簡単な説明】
【００２７】
【図１】撮影装置として適用したデジタルスチルカメラの基本的構成要素を示したブロック図。
【図２】撮像部８の詳細な構成を示した図。
【図３】ラストメモリＬＭを説明するための図。
【図４】ラストメモリ設定画面を示した図。
【図５】電源ＯＮ／ＯＦＦボタンのＯＦＦ操作によって実行開始される電源遮断時の動作を示したフローチャート。
【図６】電源ＯＮ／ＯＦＦボタンのＯＮ操作によって実行開始される電源投入時の動作を示したフローチャート。
【図７】第２実施例における電源遮断時の動作を示したフローチャート。
【図８】第２実施例における電源投入時の動作を示したフローチャート。
【図９】第２実施例において、前回設定した撮影条件を今回も使用するか否かをＹＥＳ／ＮＯ形式で問い合わせるためのメッセージ画面を示した図。
【図１０】第３実施例における電源投入時の動作を示したフローチャート。
【発明を実施するための形態】
【００２８】
（実施例１）
以下、図１〜図６を参照して本発明の実施例を説明する。
この実施例は、撮影装置として、デジタルスチルカメラに適用した場合を例示したもので、図１は、デジタルスチルカメラの基本的構成要素を示したブロック図である。
このデジタルスチルカメラは、「絞り優先」、「シャッター優先」、「絞り値」、「シャッター速度」、「フラッシュ」、「画像サイズ」、「画質」、「露出補正」、「ホワイトバランス」、「連写」など、様々な撮影条件を任意に設定可能なもので、任意に設定されている現在の撮影条件に基づいて撮影制御を行う。
なお、この実施例の特徴部分を詳述する前に、この実施例のハードウェア上の構成について以下、説明しておく。
【００２９】
ＣＰＵ１は、記憶部２内の各種のプログラムに応じてこのデジタルスチルカメラの全体動作を制御する中央演算処理装置である。記憶部２は、例えば、ＲＯＭ(フラッシュメモリなど)によって構成された内部メモリであり、プログラム領域とデータ領域とを有し、このプログラム領域には、後述する図５及び図６に示す動作手順に応じて本実施例を実現するためのプログラムが格納され、また、このデータ領域には、撮影条件などを保存するラストメモリＬＭなどが設けられている。
【００３０】
記録メディア３は、着脱自在な可搬型メモリで、撮影画像データ、各種のデータ、プログラムを外部供給するもので、例えば、スマートメディア、ＩＣカードなどによって構成されている。この記録メディア３を撮影画像保存用として使用する場合、カメラ撮影された撮影画像は、ＢＭＰ、ＪＰＥＧ、ＴＩＦなどの記録形式によって圧縮されて１画像１ファイル形式で逐次記録保存される。この場合、画像撮影が行われるごとに、画像ファイルが生成されて記録メディア３に保存登録される。メモリ４は、ワーク領域を有する内部メモリで、例えば、ＤＲＡＭ（Direct Random Access Memory）、ＳＤＲＡＭ（Synchronous DRAM）などによって構成されている。
【００３１】
一方、ＣＰＵ１には、その入出力周辺デバイスである入力部５、表示部６、伝送制御部７、撮像部８がバスラインを介して接続されており、入出力プログラムに応じてＣＰＵ１は、これらの入出力デバイスの動作制御を行う。入力部５は、電源ＯＮ／ＯＦＦボタン、シャッターボタン、ズームボタン、撮影モード／再生モードなどに切り替え指定するモードボタン、上下左右の方向にカーソルなどを移動させる選択ボタンなどを有し、その操作信号はＣＰＵ１に与えられる。表示部６は、例えば、タッチパネル付きの液晶表示部であり、モニタ画面／ファインダ画面／再生画面として使用される。
【００３２】
伝送制御部７は、電話回線、ケーブルなどの有線伝送路あるいは電波、赤外線などの無線伝送路を介して外部機器としてのパーソナルコンピュータ、プリンタ装置など任意に接続可能なもので、外部機器との間において画像データなどの送受信を制御する。
撮像部８は、静止画撮影のほかに動画撮影も可能なもので、撮影レンズ、ミラー等のレンズ・ミラーブロック、ＣＣＤイメージセンサなどの撮像素子、その駆動系のほか、測距センサ、光量センサ、アナログ処理回路、信号処理回路、圧縮伸張回路等を備え、光学ズームを調整制御したり、オートフォーカス時の駆動制御、シャッター駆動制御、露出、ホワイトバランス等を制御する。
【００３３】
図２は、この撮像部８の詳細な構成を示した図である。
撮影レンズ系１１からの被写体像は、絞り機構１２を通して撮像素子１３に結像される。光学系駆動部１４は、撮影レンズ系１１内の移動レンズの位置を制御して焦点合わせを行ったり、絞り機構１２の絞り量を可変して露出調整を行うもので、測距センサ、光量センサなどを含むセンサ部１５からの出力に基づいてＣＰＵ１は、光学系駆動部１４の動作を制御する。駆動回路１６は、撮像素子１３によって光電変換された各画素対応の電荷を画像信号として順次取り出してアナログ処理回路１７に与える。このアナログ処理回路１７は、入力された画像信号に色分離、ゲイン調整、ホワイトバランスなどを施すもので、Ａ／Ｄ変換回路１８によってデジタル変換された画像データは、バッファレジスタ１９に一時記憶される。信号処理回路２０は、画像データを輝度信号及び色差信号に変換出力する処理回路であり、圧縮伸張回路２１は、シャッター操作に応答して画像データを記録保存する際に画像データの圧縮処理を行う処理回路である。
【００３４】
図３は、ラストメモリＬＭを説明するための図である。
このラストメモリＬＭは、最終撮影時の撮影条件とメディア識別情報に対応付けて記憶保存するもので、ＣＰＵ１は、電源遮断時に現在設定されている撮影条件を最終撮影時の撮影条件として取得すると共に、装置本体に装着されている記録メディア３からメディア識別情報を読み出し、この最終撮影時の撮影条件とメディア識別情報とを対応付けてラストメモリＬＭに記憶保存させる。このラストメモリＬＭは、記録メディア３に対応して、そのメディア識別情報と最終撮影時の撮影条件とを対応付けて記憶可能な構成となっている。
【００３５】
ＣＰＵ１は、電源投入時に装置本体に装着されている記録メディア３から読み出したメディア識別情報とラストメモリＬＭから読み出したメディア識別情報とを比較し、両者が一致するか否かを判別すると共に、メディア識別情報の一致を検出した場合には、ラストメモリＬＭ内に保存されている当該メディア識別情報対応の撮影条件を読み出し、この撮影条件を現在の撮影条件として設定するようにしている。なお、上述したメディア識別情報は、例えば、製造番号などの固定情報あるいはユーザが任意に設定したシリアル番号などの情報である。
【００３６】
図４は、ラストメモリ設定画面を示した図である。
このラストメモリ設定画面は、現在設定されている複数の撮影条件がリスト表示されている状態において、このリスト表示されている撮影条件の中からどの撮影条件を保存対象とするか非保存対象とするかを任意に選択するための設定画面であり、保存対象項目には「ＯＮ」、非保存対象項目には「ＯＦＦ」が表示される。図示の例では、現在設定されている複数の撮影条件として「シャッター優先」、「シャッター速度」、「フラッシュ」、「画像サイズ」、「画質」、「ＥＶシフト（露出補正）」、「ホワイトバランス」がリスト表示されている状態において、「シャッター優先」、「シャッター速度」、「ＥＶシフト（露出補正）」、「ホワイトバランス」を非保存対象として選択した場合、「フラッシュ」、「画像サイズ」、「画質」を保存対象として選択した場合を示している。このラストメモリ設定画面の内容は、保存対象選択情報ＰＳＶとして記憶部２に設定される。
【００３７】
次ぎに、この第１実施例におけるデジタルスチルカメラの特徴的な動作を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３８】
図５は、電源遮断（電源オフ）時の動作を示したフローチャートであり、電源ＯＮ／ＯＦＦボタンのＯＦＦ操作によって実行開始される。
先ず、ＣＰＵ１は、電源ＯＦＦ操作が行われると、装置本体に記録メディア３が装着されているか否かをチェックし（ステップＡ１）、記録メディア３が装着されていなければ、電源オフ処理に移るが（ステップＡ６）、記録メディア３が装着されていれば、この記録メディア３からメディア識別情報を読み出すと共に（ステップＡ２）、現在設定されている撮影条件を最終撮影時の撮影条件として読み出す（ステップＡ３）。そして、ＣＰＵ１は、記憶部２内の保存対象選択情報ＰＳＶを参照し、現在設定されている撮影条件の中から予め保存対象として任意に選択指定されている撮影条件を抽出すると共に（ステップＡ４）、この撮影条件をメディア識別情報と共にラストメモリＬＭに書き込んだのち（ステップＡ５）、電源オフ処理に移る（ステップＡ６）。
【００３９】
図６は、電源投入（電源オン）時の動作を示したフローチャートであり、電源ＯＮ／ＯＦＦボタンのＯＮ操作によって実行開始される。
先ず、ＣＰＵ１は、電源オン処理（各種の初期化処理）を実行したのち（ステップＢ１）、装置本体に記録メディア３が装着されているかをチェックし（ステップＢ２）、記録メディア３が装着されていなければ、別のメモリの存在有無をチェックする（ステップＢ３）。すなわち、画像記録用の内蔵メモリなどが存在しているかをチェックし、別のメモリが無ければ、記録メディア３の装着を促すエラーメッセージを表示出力させるが（ステップＢ４）、別のメモリが有れば、デフォルト値として予め用意されている標準的な撮影条件を現在の撮影条件として設定する（ステップＢ５）。
【００４０】
一方、記録メディア３の装着有りが検出された場合には（ステップＢ２でＹＥＳ）、当該記録メディア３からメディア識別情報を読み出すと共に（ステップＢ６）、ラストメモリＬＭからメディア識別情報を読み出し（ステップＢ７）、両メディア識別情報を比較する（ステップＢ８）。この結果、これらのメディア識別情報が一致する場合には（ステップＢ９でＹＥＳ）、ラストメモリＬＭから当該メディア識別情報に対応付けられている撮影条件を読み出して（ステップＢ１０）、現在の撮影条件として設定するが（ステップＢ１１）、両メディア識別情報の不一致が検出されると（ステップＢ９でＮＯ）、デフォルト値として予め用意されている標準的な撮影条件を現在の撮影条件として設定する（ステップＢ５）。
【００４１】
以上のように、この第１実施例においてＣＰＵ１は、電源遮断時に装置本体に記録メディア３が装着されている場合に現在設定されている撮影条件を最終撮影時の撮影条件として記録メディア３から読み出したメディア識別情報と共にラストメモリＬＭに記憶保存しておき、電源投入時に記録メディア３から読み出したメディア識別情報とラストメモリＬＭに保存されているメディア識別情報とを比較し、その結果、両者が一致していれば、当該メディア識別情報に対応付けてラストメモリＬＭに保存されている撮影条件を読み出して現在の撮影条件として設定するようにしたから、記録メディア３が同じであれば、特別な操作を行うことなしに、同じ内容の撮影条件を確実に設定することができる。
【００４２】
例えば、撮影者ごとに専用の記録メディア３を使用する場合には、前回の撮影者が設定した撮影条件を変更する作業を行うことなしに、自分の好みに合った撮影条件で撮影することができ、また、同一撮影者であっても、人物撮影用、風景撮影用などのように撮影対象あるいは撮影目的に対応して複数の記録メディア３を用意しておけば、記録メディア３を交換するだけで、つまり、記録メディア３を使い分けるだけで、撮影対象あるいは撮影目的に適した撮影条件での撮影が可能となるなど、実用効果の高いものとなる。電源切断時の撮影条件を保存し、電源投入時の撮影条件を復帰させることができ、途中で中断した撮影を前回に引き続いて行うような場合には、記録メディア３を装着するだけでよい。
【００４３】
ＣＰＵ１は、現在設定されている複数の撮影条件の中から保存対象となる撮影条件が任意に選択指定されている状態において、この保存対象の撮影条件のみをラストメモリＬＭに保存するようにしたから、現在設定されている複数の撮影条件の中から保存対象と非保存対象に分けることができ、ユーザが所望する撮影条件のみを保存することが可能となる。例えば、特殊撮影を行うために様々な撮影条件を一時的に設定したとしても、その中から必要最小限の撮影条件のみが保存されるので、次回の撮影時には必要最小限の撮影条件に設定することができる。
【００４４】
なお、上述した第１実施例においては、撮影条件を保存するタイミングとして、電源遮断時の場合を例示したが、例えば、モード切り替えボタンの操作によって撮影モード（ＲＥＣモード）から再生モード（ＰＬＡＹモード）に切り替えられたとき、あるいは装置本体に記録メディア３が装着されたときに、現在設定されている撮影条件をラストメモリＬＭに保存するようにしてもよい。また、画像を撮影するごとに、あるいは画像を記録メディア３に保存するごとに、また、撮影条件が変更されるごとに、ラストメモリＬＭ内の撮影条件を記録メディア３に更新書き込み（上書き更新）するようにしてもよい。
一方、最終撮影時の撮影条件を現在の撮影条件として設定するタイミングは、電源投入時に限らず、例えば、再生モード（ＰＬＡＹモード）から撮影モード（ＲＥＣモード）に切り替えられたとき、あるいは記録メディア３が装着されたときに設定するようにしてもよい。
【００４５】
また、ラストメモリ設定画面の内容を保存対象選択情報ＰＳＶとして作成する場合に、電源遮断時に行うようにしてもよい。すなわち、電源遮断時にラストメモリ設定画面を表示させると共に、この設定画面中から任意に選択された撮影条件を保存対象選択情報ＰＳＶとして作成するようにしてもよい。
また、メディア識別情報は、記録メディア３の個々を識別するものに限らず、記録メディア３の種類、グループなどを識別するものであってもよい。例えば、スペアカードとして用意されているメモリカードをオリジナルのメモリカードと同様に取り扱うようにしてもよい。
（実施例２）
【００４６】
以下、この発明の第２実施例について図７〜図９を参照して説明する。
なお、上述した第１実施例においては、電源遮断時に最終撮影時の撮影条件をメディア識別情報に対応付けてラストメモリＬＭに記憶保存しておき、電源投入時に記録メディア３から読み出したメディア識別情報とラストメモリＬＭに保存されているメディア識別情報とを比較し、その結果、両者が一致していれば、当該メディア識別情報に対応付けてラストメモリＬＭに保存されている撮影条件を読み出して現在の撮影条件として設定するようにしたが、この第２実施例においては、電源遮断時に最終撮影時の撮影条件をファイル化して記録メディア３に書き込んで記憶保存しておき、電源投入時に記録メディア３から読み出した撮影条件を現在の撮影条件として設定するようにしたものである。
ここで、両実施例において基本的あるいは名称的に同一のものは、同一符号を付して示し、その説明を省略すると共に、以下、第２実施例の特徴部分を中心に説明するものとする。
【００４７】
図７は、第２実施例における電源遮断時の動作を示したフローチャートである。
先ず、ＣＰＵ１は、電源ＯＦＦ操作が行われると、装置本体に記録メディア３が装着されているか否かをチェックし（ステップＣ１）、記録メディア３が装着されていなければ、電源オフ処理に移る（ステップＣ５）。いま、記録メディア３が装着されていれば、ＣＰＵ１は、記憶部２内の保存対象選択情報ＰＳＶを参照し、現在設定されている撮影条件の中から予め保存対象として任意に選択されている撮影条件を抽出すると共に（ステップＣ２）、この撮影条件をファイル化して（ステップＣ３）、当該記録メディア３に書き込んで記憶保存させたのち（ステップＣ４）、電源オフ処理に移る（ステップＣ５）。
【００４８】
図８は、第２実施例における電源投入時の動作を示したフローチャートである。
先ず、ＣＰＵ１は、電源オン処理（各種の初期化処理）を実行したのち（ステップＤ１）、装置本体に記録メディア３が装着されているかをチェックする（ステップＤ２）。ここで、記録メディア３が装着されていなければ、別のメモリの存在有無をチェックし（ステップＤ３）、画像記録用の内蔵メモリなど、別メモリが存在していなければ、記録メディア３の装着を促すエラーメッセージを表示出力させるが（ステップＤ４）、別メモリが有れば、デフォルト値として予め用意されている標準的な撮影条件を現在の撮影条件として設定する（ステップＤ５）。
【００４９】
一方、ＣＰＵ１は、記録メディア３の装着有りが検出された場合（ステップＤ２でＹＥＳ）、当該記録メディア３に撮影条件ファイルが保存されているかをチェックし（ステップＤ６）、撮影条件ファイルが無ければ、デフォルト値（標準的な撮影条件）を現在の撮影条件として設定する（ステップＤ５）。また、撮影条件ファイルが有れば、当該カメラ機種などから有効に適合する撮影条件か否かを調べ（ステップＤ７）、対象外の撮影条件であれば（ステップＤ７でＮＯ）、デフォルト値（標準的な撮影条件）を現在の撮影条件として設定する（ステップＤ５）。
【００５０】
また、有効な撮影条件であれば（ステップＤ７でＹＥＳ）、図９に示すように前回設定した撮影条件を今回も使用するか否かをＹＥＳ／ＮＯ形式で問い合わせるための案内メッセージを表示出力させる（ステップＤ８）。このメッセージ画面内の「ＮＯ」が選択されると（ステップＤ９）、つまり、否定応答を受けた場合にはデフォルト値（標準的な撮影条件）を現在の撮影条件として設定するが（ステップＤ５）、「ＹＥＳ」が選択されると（ステップＤ９）、つまり、肯定応答を受けた場合には記録メディア３から撮影条件ファイルを読み出し（ステップＤ１０）、この撮影条件を現在の撮影条件として設定する（ステップＤ１１）。
【００５１】
以上のように、この第２実施例においてＣＰＵ１は、電源遮断時に装置本体に記録メディア３が装着されている場合に、現在設定されている撮影条件を最終撮影時の撮影条件をファイル化して当該記録メディア３に書き込んでおき、電源投入時に記録メディア３から最終撮影時の撮影条件のファイルを読み出して現在の撮影条件として設定するようにしたから、従来のように複数のメモリカードを装着可能としたり、複数のシャッターボタンを設けなくてもよく、記録メディア３が同じであれば、特別な操作を行うことなしに、同じ内容の撮影条件を確実に設定することができると共に、カメラ本体側で撮影条件などを保持しておく必要もなく、内部メモリの節約となる。更に記録メディア３を使い分けるだけで、撮影者ごとに自分の好みに合った撮影条件で撮影することができ、撮影対象あるいは撮影目的に適した撮影条件での撮影が可能となる。
【００５２】
また、記録メディア３を介して取得した前回設定の撮影条件を今回も設定するか否かを問い合わせる案内メッセージを表示出力している状態において、この問い合わせに対して設定可の肯定応答を受けた場合には、記録メディア３から撮影条件を読み出して現在の撮影条件として設定するようにしたから、ユーザ（撮影者）は、記録メディア３の撮影条件を設定するか、カメラ本体側にデフォルト値（標準的な撮影条件）を設定するかを任意に選択することができる。
【００５３】
なお、上述した第２実施例においては、前回の撮影条件を今回も使用するか否かをＹＥＳ／ＮＯ形式で問い合わせる案内メッセージを表示させたが、記録メディア３から取得した撮影条件をリスト表示すると共に、このリスト画面の中から任意の撮影条件が選択指定された際に、この指定された撮影条件を取得し、現在の撮影条件として設定するようにしてもよい。
更に、第２実施例においても、撮影条件を保存するタイミングは、電源遮断時に限らず、また、現在の撮影条件を設定するタイミングは、電源投入時に限らず、例えば、ＲＥＣモードからＰＬＡＹモードに切り替えられたとき、あるいは装置本体に記録メディア３が装着されたときなどであってもよい。
（実施例３）
【００５４】
以下、この発明の第３実施例について図１０を参照して説明する。
なお、上述した第２実施例においては、最終撮影時の撮影条件をファイル化して記録メディア３に書き込んで記憶保存しておき、この記録メディア３から撮影条件ファイルを読み出して現在の撮影条件として設定するようにしたが、この第３実施例においては、各撮影画像ごとにその画像ファイルのヘッダー部分に付加されている「Ｅｘｉｆ」から撮影条件を示す撮影パラメータを読み出して現在の撮影条件を設定するようにしたものである。
【００５５】
ここで、両実施例において基本的あるいは名称的に同一のものは、同一符号を付して示し、その説明を省略すると共に、以下、第３実施例の特徴部分を中心に説明するものとする。
この第３実施例においてＣＰＵ１は、画像撮影を行うごとに、画像ファイルを生成して記録メディア３に書き込み保存するが、その際、この画像ファイルのヘッダー部分に付加されている「Ｅｘｉｆ」に現在の撮影条件を示す撮影パラメータを付加して記録メディア３に書き込むようにしている。なお、この「Ｅｘｉｆ」には「ファイル番号」、「撮影日時」のほか、「画像サイズ」などの各種の撮影条件が付加される。
【００５６】
図１０は、第３実施例における電源投入時の動作を示したフローチャートである。
先ず、ＣＰＵ１は、上述した第２実施例と同様に、電源オン処理（各種の初期化処理）を実行したのち（ステップＥ１）、装置本体に記録メディア３が装着されているかをチェックする（ステップＥ２）。ここで、記録メディア３が装着されていなければ、別のメモリの存在有無をチェックし（ステップＥ３）、画像記録用の内蔵メモリなど、別メモリが存在していなければ、記録メディア３の装着を促すエラーメッセージを表示出力させるが（ステップＥ４）、別メモリが有れば、デフォルト値（標準的な撮影条件）を現在の撮影条件として設定する（ステップＥ５）。
【００５７】
一方、ＣＰＵ１は、記録メディア３の装着有りが検出された場合（ステップＥ２でＹＥＳ）、当該記録メディア３に画像ファイルが格納されているかをチェックする（ステップＥ６）。いま、記録メディア３に画像ファイルが格納されていない空状態であれば（ステップＥ６でＮＯ）、デフォルト値（標準的な撮影条件）を現在の撮影条件として設定するが（ステップＥ５）、１つの画像ファイルでも格納されていれば（ステップＥ６でＹＥＳ）、その最後に格納されている画像ファイルを特定すると共に、この画像ファイルの「Ｅｘｉｆ」から撮影画像の撮影条件を示す撮影パラメータを読み出し（ステップＥ７）、当該カメラ機種などから有効に適合する撮影条件か否かを調べる（ステップＥ８）。この結果、対象外の撮影条件であれば、デフォルト値（標準的な撮影条件）を現在の撮影条件として設定するが（ステップＥ５）、処理可能な有効ファイルであれば、この撮影条件を現在の撮影条件として設定する（ステップＥ９）。
【００５８】
以上のように、この第３実施例においてＣＰＵ１は、記録メディア３が装着されている場合に、撮影画像ファイルにその撮影条件を示す撮影パラメータを付加して当該記録メディア３に書き込んでおき、電源投入時に装置本体に記録メディア３が装着されている場合に、最後に撮影された画像ファイルを特定すると共に、この画像ファイルのヘッダー部分に付加されている「Ｅｘｉｆ」から撮影条件を示す撮影パラメータを読み出して現在の撮影条件として設定するようにしたから、画像ファイルのヘッダー部分に付加されている「Ｅｘｉｆ」を利用することができ、撮影条件をファイル化して記録メディアに書き込む必要がなくなり、また、撮影を途中で中断した場合には記録メディアを装着するだけで中断前に最後に撮影したときの撮影条件を再開後も引き続き設定することができる。
【００５９】
なお、第３実施例においてＣＰＵ１は、記録メディア３から最後に撮影された画像ファイルを特定し、この画像ファイルのヘッダー部分に付加されている「Ｅｘｉｆ」から撮影条件を示す撮影パラメータを読み出して現在の撮影条件として設定するようにしたが、記録メディア３に格納されている各撮影画像の中から最後に画像再生を行った撮影画像を特定し、この画像ファイルから撮影パラメータを読み出して現在の撮影条件として設定するようにしてもよい。この場合、図１０のステップＥ７の処理内容を次ぎのような処理内容に代えればよい。すなわち、この処理内容としては、最後に再生された画像ファイルの「Ｅｘｉｆ」から撮影画像の撮影条件を示す撮影パラメータを読み出す処理とすればよい。
【００６０】
ここで、最後に再生された画像の識別情報（例えば、画像Ｎｏ）と当該撮影画像が保存されている記録メディア３を示すメディア識別情報とを対応付けてカメラ本体側で記憶管理し、ＣＰＵ１は、この記録メディア３が装着された際に、このメディア識別情報に対応付けられている画像識別情報から最後に再生された画像を特定すると共に、この画像ファイルの「Ｅｘｉｆ」から撮影画像の撮影条件を示す撮影パラメータを読み出すようにしてもよい。逆に、最後に再生された画像の識別情報を記録メディア３側で記憶管理し、この記録メディア３が装着された際に、ＣＰＵ１は、この記録メディア３から画像識別情報を読み出して最後に再生された画像を特定すると共に、この画像ファイルの「Ｅｘｉｆ」から撮影画像の撮影条件を示す撮影パラメータを読み出すようにしてもよい。その他は、図１０に示したフローと基本的には同様である。
【００６１】
このようにＣＰＵ１は、記録メディア３が装着されている場合に撮影画像ファイルにその撮影条件を示す撮影パラメータを付加して当該記録メディア３に書き込んでおき、電源投入時に装置本体に記録メディア３が装着されている場合に、最後に再生表示した画像ファイルを特定すると共に、この画像ファイルに付加されている撮影条件を示す撮影パラメータを当該記録メディア８から読み出して現在の撮影条件として設定するようにすれば、記録メディア８を装着するだけで最後に再生表示によって確認した画像と同様の撮影条件を引き続き設定することができる。
【００６２】
なお、第３実施例においても、現在の撮影条件を設定するタイミングは、電源投入時に限らず、ＲＥＣモードからＰＬＡＹモードに切り替えられたとき、あるいは装置本体に記録メディア３が装着されたときなどであってもよい。
上述した第１〜第３実施例において、記録メディア３は、可搬型のメディアであり、カード型あるいはスティック型など、その形状は任意である。
また、撮影装置としてデジタルスチルカメラに適用した場合を示したが、デジタルビデオカメラに適用するようにしてもよく、更に、カメラ機能付きの携帯電話、ＰＤＡなどの携帯端末装置に適用するようにしてもよい。
【符号の説明】
【００６３】
１  ＣＰＵ
２  記憶部
３  記録メディア
５  入力部
６  表示部
８  撮像部
１１  撮影レンズ系
１２  絞り機構
１３  撮像素子
１４  光学系駆動部
１５  センサ部
１６  駆動回路
１７  アナログ処理回路
１８  Ａ／Ｄ変換回路
２０  信号処理回路
ＬＭ  ラストメモリ
ＰＳＶ  保存対象選択情報
【図１】
2011193539.tif 000003
【図２】
2011193539.tif 000004
【図３】
2011193539.tif 000005
【図４】
2011193539.tif 000006
【図５】
2011193539.tif 000007
【図６】
2011193539.tif 000008
【図７】
2011193539.tif 000009
【図８】
2011193539.tif 000010
【図９】
2011193539.tif 000011
【図１０】
2011193539.tif 000012
【手続補正書】
【提出日】平成23年7月21日(2011.7.21)
【手続補正２】
【補正対象書類名】明細書
【補正対象項目名】０００１
【補正方法】変更
【補正の内容】
【０００１】
この発明は、任意に設定されている現在の撮影条件に基づいて撮影制御を行う撮影装置、撮影条件設定方法及びプログラムに関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
請求項１記載の発明は、現在の撮影条件に基づいて撮影制御を行う撮影装置であって、撮影画像を記録する着脱自在な記録メディアが装置本体に装着されているか否かを判別する判別手段と、この判別手段によって記録メディアの装着有りが判別されている場合に、撮影画像にその撮影条件を示す撮影パラメータを付加して当該記録メディアに書き込むメディア書き込み手段と、今回の電源投入後から最初の撮影を開始するまでの間において前記判別手段によって記録メディアの装着有りが判別されている場合に、最後に撮影した撮影画像に付加されている撮影条件を示す撮影パラメータを当該記録メディアから読み出して現在の撮影条件として設定する設定手段とを具備したことを特徴とする。
更に、上述した請求項１記載の発明に対応する撮影条件設定方法及びプログラムを提供する（請求項２及び３に記載の発明）。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】変更
【補正の内容】
【００２４】
本発明によれば、最後に撮影したときの撮影条件を撮影再開後も引き続き設定することができる。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】特許請求の範囲
【補正対象項目名】全文
【補正方法】変更
【補正の内容】
【特許請求の範囲】
【請求項１】
現在の撮影条件に基づいて撮影制御を行う撮影装置であって、
撮影画像を記録する着脱自在な記録メディアが装置本体に装着されているか否かを判別する判別手段と、
この判別手段によって記録メディアの装着有りが判別されている場合に、撮影画像にその撮影条件を示す撮影パラメータを付加して当該記録メディアに書き込むメディア書き込み手段と、
今回の電源投入後から最初の撮影を開始するまでの間において前記判別手段によって記録メディアの装着有りが判別されている場合に、最後に撮影した撮影画像に付加されている撮影条件を示す撮影パラメータを当該記録メディアから読み出して現在の撮影条件として設定する設定手段と、
を具備したことを特徴とする撮影装置。
【請求項２】
現在の撮影条件に基づいて撮影制御を行う撮影装置の撮影条件設定方法であって、
撮影画像を記録する着脱自在な記録メディアが装置本体に装着されているか否かを判別するステップと、
記録メディアの装着有りが判別されている場合に、撮影画像にその撮影条件を示す撮影パラメータを付加して当該記録メディアに書き込むステップと、
今回の電源投入後から最初の撮影を開始するまでの間において記録メディアの装着有りが判別されている場合に、最後に撮影した撮影画像に付加されている撮影条件を示す撮影パラメータを当該記録メディアから読み出して現在の撮影条件として設定するステップと、
を含む撮影条件設定方法。
【請求項３】
コンピュータに対して、
撮影画像を記録する着脱自在な記録メディアが装置本体に装着されているか否かを判別する機能と、
記録メディアの装着有りが判別されている場合に、撮影画像にその撮影条件を示す撮影パラメータを付加して当該記録メディアに書き込む機能と、
今回の電源投入後から最初の撮影を開始するまでの間において記録メディアの装着有りが判別されている場合に、最後に撮影した撮影画像に付加されている撮影条件を示す撮影パラメータを当該記録メディアから読み出して現在の撮影条件として設定する機能と、
を実現させるためのプログラム。